(57)【要約】【課題】身体が不自由な人や老人などが、一人で浴槽の出入りを行ったり、介助者が行う介助を容易に行ったりすることができる入浴用椅子を提供する。【解決手段】回転および位置決めが可能な入浴用椅子は、座部１の底面に接続され、底台４上に固定された回転装置２と、回転装置２の回転を制限する位置決め装置３とを備える。回転装置２は、座部１の底部に接続された上部回転盤２１と、環状に設けられた複数の位置決め孔２５を有し、底台４に接続された下部回転盤２２と、上部回転盤２１と下部回転盤２２との間に接続された芯軸２３と、環状に配列された複数のボール２４とを有する。【選択図】図１
0003153808.tif 000002
【実用新案登録請求の範囲】
【請求項１】
座部の底面に接続され、底台上に固定された回転装置と、前記回転装置の回転を制限する位置決め装置と、を備える回転および位置決めが可能な入浴用椅子であって、
前記回転装置は、前記座部の底部に接続された上部回転盤と、環状に設けられた複数の位置決め孔を有し、底台に接続された下部回転盤と、前記上部回転盤と前記下部回転盤との間に接続された芯軸と、環状に配列された複数のボールと、を有し、
前記位置決め装置は、前記座部の底部に接続された固定板と、前記固定板上に取り付けされた押圧板と、一方の端部に押点部を有し、他方の端部に前記下部回転盤の前記位置決め孔と脱着可能な位置決めピンと接続された作動部を有し、前記押圧板の中間部に設けられた取り付け部と、前記押点部と前記固定板との間に接続された弾性部材と、を有することを特徴とする回転および位置決めが可能な入浴用椅子。
【請求項２】
前記回転装置の前記上部回転盤と前記下部回転盤との間に上リングおよび下リングが接続され、
前記複数のボールは、前記上リングと前記下リングとの間に接続されることを特徴とする請求項１に記載の回転および位置決めが可能な入浴用椅子。
【請求項３】
前記回転装置の外周には外リングが接続されることを特徴とする請求項１に記載の回転および位置決めが可能な入浴用椅子。
【請求項４】
前記位置決め装置の前記固定板の両側にはそれぞれ折り曲げられた２つの取り付け台が設けられ、
前記押圧板の中間部に設けられた前記取り付け部が前記固定板の前記２つの取り付け台の間に接続されることを特徴とする請求項１に記載の回転および位置決めが可能な入浴用椅子。
【請求項５】
前記位置決め装置の前記固定板の上面に第１の突出部が設けられ、
前記押圧板の前記押点部の底面に第２の突出部が設けられ、
前記弾性部材は、前記第１の突出部と前記第２の突出部との間に接続された圧縮バネであることを特徴とする請求項１に記載の回転および位置決めが可能な入浴用椅子。
【請求項６】
前記座部の前側には切欠が設けられ、
前記位置決め装置の前記固定板は、前記切欠の底部近傍辺に取り付けされ、
前記押圧板に設けられた前記押点部が前記切欠中に収納されることを特徴とする請求項１に記載の回転および位置決めが可能な入浴用椅子。
【請求項７】
前記座部は、上面に滑り止めシートが接続され、後部に背もたれが設けられ、側部に握り部が接続されていることを特徴とする請求項１に記載の回転および位置決めが可能な入浴用椅子。
【請求項８】
前記底台は、互いに対応した固定台と可動台とを含み、
前記固定台の内面には、少なくとも１つのネジ孔が設けられるとともに、少なくとも１つの固定顎が取り付けされ、
前記可動台には、前記固定台の前記ネジ孔にねじ止め可能なネジ軸が入り、前記ネジ軸の端部には、回転つまみが設けられ、
前記可動台の内面には、前記固定顎に対応した可動顎が配置されていることを特徴とする請求項１に記載の回転および位置決めが可能な入浴用椅子。
【考案の詳細な説明】
【技術分野】
【０００１】
本考案は、回転および位置決めが可能な入浴用椅子に関し、特に、身体が不自由な者の入浴の介助に用いる、浴槽の所定位置に装着が可能な入浴用椅子に関する。
【背景技術】
【０００２】
一般に、身体が不自由な人、老人などは、一人で浴槽に出入りすることが困難であるため、入浴する際、入浴用椅子の使用や介助者の介助を必要とした。従来の入浴用椅子は、一般に浴槽の寸法に対応した固定式か折りたたみ式の脚部を有する。この脚部上には、多数の排水孔が設けられた座部が接続されている。このように、入浴用椅子を浴槽の中に設置したり、固定したりすることにより、身体が不自由な人、老人などを座部上に座らせ、介助者が入浴の介助を行う。しかし、従来の入浴用椅子では、浴槽への出入りの際、身体が不自由な人や老人が、体の向きを変えたりする、介助を行う機能が無かった。介助者が老人などを支えたり、抱きかかえたりする必要があり、非常に不便であった。特に、狭く滑りやすい浴室内では、介助者の僅かなミスが大きな事故につながる。さらに、他の従来の入浴用椅子では、身体が不自由な人や老人などが浴槽からの出入りを介助する機構を含むものもあったが、手すりなど無いものもあり、安全性が低く理想的でなかった。
【０００３】
身体が不自由な人、老人などが、一人で入浴したり、介助者が容易に介助を行ったりすることができる入浴用椅子が求められた。
【考案の概要】
【考案が解決しようとする課題】
【０００４】
本考案の目的は、身体が不自由な人や老人などが、一人の浴槽の出入りを、補助したり、身体が不自由な人や老人などの入浴する際、介助者の介助を容易にする、入浴用椅子を提供することにある。
【課題を解決するための手段】
【０００５】
上記課題を解決するために、本考案の第１の形態によれば、座部の底面に接続され、底台上に固定された回転装置と、前記回転装置の回転を制限する位置決め装置と、を備える回転および位置決めが可能な入浴用椅子であって、前記回転装置は、前記座部の底部に接続された上部回転盤と、環状に設けられた複数の位置決め孔を有し、底台に接続された下部回転盤と、前記上部回転盤と前記下部回転盤との間に接続された芯軸と、環状に配列された複数のボールと、を有し、前記位置決め装置は、前記座部の底部に接続された固定板と、前記固定板上に取り付けされた押圧板と、一方の端部に押点部を有し、他方の端部に前記下部回転盤の前記位置決め孔と脱着可能な位置決めピンと接続された作動部を有し、前記押圧板の中間部に設けられた取り付け部と、前記押点部と前記固板との間に接続された弾性部材と、を有することを特徴とする回転および位置決めが可能な入浴用椅子が提供される。
【０００６】
また、前記回転装置の前記上部回転盤と前記下部回転盤との間に上リングおよび下リングが接続され、前記複数のボールは、前記上リングと前記下リングとの間に接続されることが好ましい。
【０００７】
また、前記回転装置の外周には外リングが接続されることが好ましい。
【０００８】
また、前記位置決め装置の前記固定板の両側にはそれぞれ折り曲げられた２つの取り付け台が設けられ、前記押圧板の中間部に設けられた前記取り付け部が前記固定板の前記２つの取り付け台の間に接続されることが好ましい。
【０００９】
また、前記位置決め装置の前記固定板の上面に第１の突出部が設けられ、前記押圧板の前記押点部の底面に第２の突出部が設けられ、前記弾性部材は、前記第１の突出部と前記第２の突出部との間に接続された圧縮バネであることが好ましい。
【００１０】
また、前記座部の前側には切欠が設けられ、前記位置決め装置の前記固定板は、前記切欠の底部近傍に接続され、前記押圧板に設けられた前記押点部が前記切欠中に収納されることが好ましい。
【００１１】
また、前記座部は、上面に滑り止めシートが接続され、後部に背もたれが設けられ、側部に握り部が接続されていることが好ましい。
【００１２】
また、前記底台は、互いに対応した固定台と可動台とを含み、前記固定台の内面には、少なくとも１つのネジ孔が設けられるとともに、少なくとも１つの固定顎が取り付けされ、前記可動台には、前記固定台の前記ネジ孔に螺着可能なネジ軸が貫設され、前記ネジ軸の端部には、回転つまみが設けられ、前記可動台の内面には、前記固定顎に対応した可動顎が配置されていることが好ましい。
【考案の効果】
【００１３】
本考案の回転および位置決めが可能な入浴用椅子は、病人、老人などが一人で浴槽の出入りを行ったり、老人などが入浴する際、介助者が行う介助を容易に行ったりすることができる。
【図面の簡単な説明】
【００１４】
【図１】本考案の一実施形態による入浴用椅子を示す分解斜視図である。
【図２】本考案の一実施形態による入浴用椅子を示す斜視図である。
【図３】本考案の一実施形態による入浴用椅子を示す断面図である。
【図４】本考案の一実施形態による入浴用椅子を使用するときの状態を示す断面図である。
【図５】本考案の一実施形態による入浴用椅子を使用するときの状態を他の方向から見たときの断面図である。
【考案を実施するための形態】
【００１５】
以下、本考案の実施形態について図に基づいて説明する。なお、これによって本考案が限定されるものではない。
【００１６】
図１〜図５を参照する。図１〜図５に示すように、本考案の一実施形態による回転および位置決めが可能な入浴用椅子は、座部１の底部に接続された回転装置２と、回転装置２の回転を制限する位置決め装置３と、を含む。回転装置２は、底台４上に固定されている。
【００１７】
図１を参照する。図１に示すように、座部１は、上面に設けられた１つ以上の滑り止めシート１１と、後部に突設された背もたれ１２と、側部に配置された握り部１３と、前部に設けられた切欠１４と、を有する。
【００１８】
図１および図３を参照する。図１および図３に示すように、回転装置２は、座部１の底部と接続される上部回転盤２１と、底台４の上面に接続される下部回転盤２２と、を有する。上部回転盤２１および下部回転盤２２は、矩形、円形またはその他の形状であり、中央部分に芯軸２３が接続されている。上部回転盤２１と下部回転盤２２との間に環状に配列された複数のボール２４により、上部回転盤２１および下部回転盤２２を滑らかに回転させることができる。さらに、下部回転盤２２には、複数の位置決め孔２５が環状に配列されている。さらに好適な実施形態では、上部回転盤２１と下部回転盤２２との間で、上リング２６および下リング２７が接続されているため、上リング２６と下リング２７との間に配置された複数のボール２４を安定させることができる。さらに、回転装置２の外周には、上述の上部回転盤２１、下部回転盤２２、ボール２４などの部材が露出されないように外リング２８が接続されている。
【００１９】
図１および図３を参照する。図１および図３に示すように、位置決め装置３は、座部１の底部に接続された固定板３１と、固定板３１の両側にそれぞれ折り曲げられて設けられた取り付け台３１１と、固定板３１上に取り付けされた押圧板３２と、を含む。押圧板３２の中間箇所には、取り付け部３２１が設けられる。取り付け部３２１は、一方の端部に押点部３２２が設けられ、他方の端部に作動部３２３が設けられている。これにより、押圧板３２の中間箇所に設けられた取り付け部３２１は、固定板３１の２つの取り付け台３１１の間に接続される。作動部３２３には、下部回転盤２２の位置決め孔２５と脱着可能な位置決めピン３３が接続される。押点部３２２と固定板３１との間には、圧縮バネまたは弾性金属板である弾性部材３４が接続されている。さらに好適な実施形態では、固定板３１の上面に、第１の突出部３１２が設けられ、押圧板３２の押点部３２２の底面に、第２の突出部３２４が設けられているため、第１の突出部３１２と第２の突出部３２４との間に弾性部材３４が接続される。さらに、座部１に設けられた切欠１４の底部近傍に固定板３１が接続されているため、ユーザは、切欠１４中に収納されている押圧板３２の押点部３２２を簡単に押下することができる。
【００２０】
図１、図２および図３を参照する。図１、図２および図３に示すように、底台４は、互いに対応した固定台４１と可動台４２とを含む。固定台４１の内面には、少なくとも１つのネジ孔４１１（本実施形態では２つのネジ孔４１１を有する。）が設けられ、少なくとも１つの固定顎４３（本実施形態では２つの固定顎４３を有する。）が取り付けされている。可動台４２には、ネジ孔４１１へ貫設させることが可能なように、一方の端部に回転つまみ４２２を有するネジ軸４２１が外側から貫設されている。また、可動台４２の内面には、固定顎４３に対応した可動顎４４が配置されている。そのため、ネジ軸４２１を回転させることにより、固定顎４３および可動顎４４を用いて浴槽５の側壁を挟持し、浴槽５上に底台４全体を固定させることができる。
【００２１】
本実施形態の回転および位置決めが可能な入浴用椅子を使用するときは、身体が不自由な人、老人などが一人で座部１上に座るか、身体が不自由な人、老人などを介助者が介助して座部１上に座らせる。続いて、図４に示すように、位置決め装置３の押圧板３２の一方の端部に設けられた押点部３２２を押下すると、押圧板３２の他方の端部に設けられた作動部３２３および位置決めピン３３が上昇して下部回転盤２２の位置決め孔２５から外れ、回転装置２の上部回転盤２１、下部回転盤２２およびボール２４により座部１を回転させると、身体が不自由な人、老人などが浴槽５へ簡単に入ることができる。その後、図５に示すように、座部１を適宜な位置まで回転させると、弾性部材３４の張力により押圧板３２が復位されるとともに、下部回転盤２２の位置決め孔２５中に位置決めピン３３が再び貫設されて回転が止められるため、座部１の位置決めが行われ、浴槽５の中で身体が不自由な人、老人などが簡便に入浴を行うことができる。入浴が終了後、上述の操作を逆順に行い身体が不自由な人、老人などが浴槽５から出ることができる。さらに、位置決めされた座部１および握り部１３を利用することにより、身体が不自由な人、老人などが、自身でも、体を安全に起こしたり、座ったりすることができる。
【００２２】
上述したように、本考案の回転および位置決めが可能な入浴用椅子は、座部と底台との間に配置された回転装置および位置決め装置を利用し、底台上で座部の回転および位置決めを行うことができる。そのため、身体が不自由な人、老人などが一人で浴槽からの出入りを行ったり、浴槽から身体が不自由な人や老人などが、老人などが出入りするときに介助者が介助を簡単に行うことができる。
【００２３】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００２４】
１      座部
２      回転装置
３      位置決め装置
４      底台
５      浴槽
１１    滑り止めシート
１２    背もたれ
１３    握り部
１４    切欠
２１    上部回転盤
２２    下部回転盤
２３    芯軸
２４    ボール
２５    位置決め孔
２６    上リング
２７    下リング
２８    外リング
３１    固定板
３２    押圧板
３３    位置決めピン
３４    弾性部材
４１    固定台
４２    可動台
４３    固定顎
４４    可動顎
３１１  取り付け台
３１２  第１の突出部
３２１  取り付け部
３２２  押点部
３２３  作動部
３２４  第２の突出部
４１１  ネジ孔
４２１  ネジ軸
４２２  回転つまみ
【図１】
0003153808.tif 000003
【図２】
0003153808.tif 000004
【図３】
0003153808.tif 000005
【図４】
0003153808.tif 000006
【図５】
0003153808.tif 000007